(57)【要約】【課題】枕などの立体物を日干しあるいは陰干しするための補助具として期待通りの機能を発揮することができ、日干しあるいは陰干しするときの水平方向の占有空間を小さくすることができる物干し補助具を得る。【解決手段】折り返すことによって形成される重合部で立体的な物干し対象物を挟み込むことができ折り返し部を底部とするネット１０を主体としてなり、ネット１０の周囲はネット１０の伸縮を防止すためのベルト１２，１６で縁取りされ、ネット１０で物干し対象物を挟み込んだ状態でネット１０を吊り下げるための吊り下げ部材がネット１０の上端から複数延び出ており、吊り下げ部材は、ネット１０の周囲を縁取りしたベルトでありかつ互いに重なり合うネット双方の上端から伸び出たベルト１２，１６が兼ねている。【選択図】図１
2005111240.tif 000002
【特許請求の範囲】
【請求項１】
折り返すことによって形成される重合部で立体的な物干し対象物を挟み込むことができ折り返し部を底部とするネットを主体としてなり、
このネットの周囲はネットの伸縮を防止すためのベルトで縁取りされ、
ネットで上記物干し対象物を挟み込んだ状態でネットを吊り下げるための吊り下げ部材がネットの上端から複数延び出ており、
上記吊り下げ部材は、ネットの周囲を縁取りしたベルトでありかつ互いに重なり合うネット双方の上端から伸び出たベルトが兼ねていることを特徴とする物干し補助具。
【請求項２】
折り返すことによって形成される重合部で立体的な物干し対象物を挟み込むことができ折り返し部を底部とするネットを主体としてなり、
このネットの周囲はネットの伸縮を防止すためのベルトで縁取りされ、
ネットで上記物干し対象物を挟み込んだ状態でネットを吊り下げるための吊り下げ部材がネットの上端から複数延び出ており、
重合された上記ネットの側縁部には、上記物干し対象物を挟み込んだ状態を維持するためにネットの重合部分を結合することができる結合手段が配され、
この結合手段は上記重合部の側縁部を開閉可能なスライドファスナーからなることを特徴とする物干し補助具。
【請求項３】
吊り下げ部材は、ネットの周囲を縁取りしたベルトでありかつ互いに重なり合うネット双方の上端から伸び出たベルトが兼ねていることを特徴とする請求項２記載の物干し補助具。
【請求項４】
互いに重なり合うネット双方の上端から伸び出たベルトには、ネットを重合させたときに互いに対応するベルトを結合するためのベルト結合部材が設けられていて、このベルト結合部材と上記ベルトによって吊り下げ部材を構成している請求項１または２記載の物干し補助具。
【請求項５】
ネットは物干し対象物を複数挟み込むことができる請求項１または２記載の物干し補助具。
【請求項６】
ネットは、折り返し部からなる底部に補強ベルトを有してなる請求項１または２記載の物干し補助具。
【請求項７】
重合された上記ネットの側縁部には、重合されたネットをつなぐネット状の素材からなるマチを有しており、このマチと上記ネットの側縁部とがスライドファスナーによって開閉可能となっている請求項２記載の物干し補助具。
【請求項８】
スライドファスナーは、重合されたネットの両側縁部に配されている請求項２または７記載の物干し補助具。
【請求項９】
重合されたネットの側縁部に対してマチの縁部の一部が縫い付けられ、マチの縁部の残りの部分がスライドファスナーによってネットの側縁部と連結分離可能となっている請求項７記載の物干し補助具。
【請求項１０】
ベルト結合部材は、互いに重なり合うネットの一方から伸び出たベルトに設けられたリングと、互いに重なり合うネットの他方側から伸び出たベルトであって上記リングに掛けることができるベルトに設けられたフックの雌型と雄型とを有してなる請求項４記載の物干し補助具。
【請求項１１】
ホックの雌型または雄型は、間隔をあけて複数設けられ、上記リングに掛けたベルトをこのリングの位置で折り返し、上記複数の雌型または雄型の中から一つを選択してこれにホックの雄型または雌型を嵌めることによって、上記ベルトとリングおよびホックを有してなる吊り下げ部材の長さを切り替えることを可能にした請求項１０記載の物干し補助具。
【発明の詳細な説明】
【技術分野】
【０００１】
本発明は、例えば、枕、クッション、座布団などの立体的なものを日干ししあるいは陰干しするのに便利な物干し補助具に関するものである。
【背景技術】
【０００２】
日常生活で毎日のように使用する枕、クッション、ぬいぐるみ、座布団などは、何日か使用しているうちに整髪料や汗などが付着して匂いがつき、また、ダニが発生することもあるので、定期的に日干しして消臭およびダニの駆除をするのが望ましい。ものによっては陰干しするのが望ましい。しかしながら、枕、クッション、座布団などの立体的なものは、折り返すことができないため、それ自体を衣類のように物干し竿に吊り下げることはできない。そこで、従来、図８に示すような２本の棒４０を平行に支持する道具ないしは器具が販売されている。その使用方法は、上記２本の棒４０にまたがって枕のような立体物３０を載せ、日光の当たる場所あるいは風通しのよい場所に置くというものである。
【０００３】
しかし、上記のような従来の道具ないしは器具を用いると、立体物を水平方向に寝かせた状態で置くことになるため、立体物が大きく場所を取ってしまうという欠点があった。
このような欠点を解決するためには、通常の洗濯物と同様に、例えば物干し竿などに吊り下げることができるようにすればよい。
【０００４】
洗濯物を物干し竿などに吊り下げるための器具として、フックを介して物干し竿などに吊り下げることができる本体フレームと、この本体フレームの複数箇所からぶら下げられたクリップを有する物干し器具が広く使用されている。この物干し器具を使用することによって枕などの立体物を干すことが考えられる。しかし、枕などの立体物は衣類と異なって重量が大きいため、クリップで挟み込むだけでは吊り下げた状態を維持することが難しく、脱落しやすいという難点がある。また、クリップで挟まれることによって変形することがあり、ぬいぐるみなどには使えない。
【０００５】
この物干し器具が発展したものとして、雨天時にも洗濯物を干すことができる「ハンガ物干し装置」が提案されている。これは、要するに、上記物干し器具の本体フレームより下側を透明シートで覆ったものであって、この透明シートの上下端を開放して空気が流通するようにしたものである（例えば、特許文献１参照）。
【特許文献１】特開２０００−２７１３９３号公報
【発明の開示】
【発明が解決しようとする課題】
【０００６】
特許文献１記載の物干し装置を含む従来の物干し器具は、枕などの立体物を日干しあるいは陰干しするための補助具として発想されたものではないため、既に述べたとおり、枕などの立体物を乾燥させるための補助具としての使用には耐えることができない。
そこで本願発明は、枕などの立体物を乾燥するための補助具として期待通りの機能を発揮することができ、かつ、日干しあるいは陰干しするときの水平方向の占有空間を小さくすることができる物干し補助具を提供することを目的とする。
【課題を解決するための手段】
【０００７】
本発明は、折り返すことによって形成される重合部で立体的な物干し対象物を挟み込むことができ折り返し部を底部とするネットを主体としてなり、このネットの周囲はネットの伸縮を防止すためのベルトで縁取りされ、ネットで上記物干し対象物を挟み込んだ状態でネットを吊り下げるための吊り下げ部材がネットの上端から複数延び出ており、上記吊り下げ部材は、ネットの周囲を縁取りしたベルトでありかつ互いに重なり合うネット双方の上端から伸び出たベルトが兼ねていることを最も主要な特徴とする。
【発明の効果】
【０００８】
本発明の物干し補助具によれば、折り返すことによって形成される重合部で立体的な物干し対象物を挟み込むことができるネットを主体としてなる簡単な構成であるにもかかわらず、上記重合部で立体的な物干し対象物を挟み込んだ状態で、ネットの上端から延び出ている複数の吊り下げ部材を物干し竿などにかけて吊り下げることによって上記の立体的な物干し対象物を日干ししあるいは陰干しすることができ、水平方向の占有空間を小さくすることができる利点がある。また、ネットの周囲はベルトで縁取りされているため、重量の重い立体物を保持してもネットの伸縮が防止され、挟み込まれている立体的なものの型崩れを防止できるという利点がある。互いに重なり合うネット双方の上端から伸び出たベルトが吊り下げ部材を兼ねているため、この吊り下げ部材によって物干し竿に物干し補助具を吊り下げた状態で吊り下げ部材が物干し竿を擦っても、物干し竿を損傷させることを回避することができる。
【発明を実施するための最良の形態】
【０００９】
以下に、本発明にかかる物干し補助具の実施の形態について説明する。
図１において、符号１０は物干し補助具の主体をなすネットを示している。このネット１０は、その周囲にベルト１２が縫い付けられてベルト１２で縁取りされ、これによってネット１０の伸縮が防止されている。また、ネット１０は、一方向のほぼ中央部で折り返えされることによって重合部が形成され、このネット１０による重合部で立体的な物干し対象物を挟み込むことができるようになっている。ネット１０の上記折り返し部は底部となっていて、この折り返し部からなる底部には補強ベルト１８が縫い付けられている。ネット１０の両端縁部、より具体的には、折り返されたネット１０の互いに重なり合うことができる両端縁、すなわち上記底部とは反対側の上端縁部双方にもベルト１６が縫い付けられて縁取りされている。
【００１０】
ネット１０の素材、ネットの形成方法乃至は種類は特に限定されるものではないが、挟み込む立体物の形状に対応してなじむことができ、その一方では伸縮し難く、強度が高いものが望ましい。図示の実施の形態では、「モジ網」と称する方眼状の網を使用し、方眼の方向を縦方向と横方向に合わせて使用している。こうすることによってネット１０の伸縮を効果的に制限することができる。素材は合成繊維である。図示の実施形態は、例えば枕を２個並列的に、縦方向の姿勢で挟み込むことができる大きさのネット１０となっていて、ネット１０を左右方向に２分するようにしてベルト１４が縦方向に縫い付けられている。このベルト１４、ネット１０の周囲を縁取りするベルト１２、１６および底部の補強ベルト１４の素材は同一の素材でよく、実施の形態では布製のテープを用いた。
【００１１】
ネット１０の上端からは、ネット１０で立体的な物干し対象物を挟み込んだ状態でネット１０を吊り下げるための吊り下げ部材が複数延び出ている。この実施の形態における「吊り下げ部材」とは、ネット１０の周囲を縁取りしたベルトでありかつ互いに重なり合うネット双方の上端から伸び出たベルト１２が兼ねている。また、ネット１０を左右方向に２分するようにしてネット１０の縦方向に縫い付けられベルト１４も上記吊り下げ部材を兼ねている。ネット１０を折り返した状態で互いに対をなして対応するベルト１２およびベルト１４は、ベルト結合部材によって結合することができるようになっている。結合されてループを描いた部分に物干し竿を通すことにより、立体物な物干し対象物を挟み込んだ状態でネット１０を物干し竿に吊り下げることができるようになっている。
【００１２】
上記ベルト１２およびベルト１４の結合部材として、図示の実施形態では、ファスナー２０が用いられている。より具体的には、互いに重なり合うネット１０双方の上端から伸び出たベルト１２、１４には、ネット１０を重合させたときに互いに対応するベルト１２、１４を結合するためのファスナー２０を構成する雌型と雄型が設けられている。ファスナー２０の雌型はベルト１２、１４に位置を固定して取り付けられているのに対し、雄型は、ベルト１２、１４への取り付け位置を任意に変更可能に取り付けられている。このファスナー２０を構成する雌型と雄型を結合することにより、互いに対応するベルト１２、１４が結合され、この結合部分を物干し竿に通すことにより、ネット１０を物干し竿に吊り下げることができる。ファスナー２０の雄型の、ベルト１２、１４への取り付け位置を変更することにより、物干し竿に吊り下げられた物干し補助具の高さ位置を調整することができる。
【００１３】
ネット１０は、その重合部分で立体的なものを挟み込んだ状態を安定に維持するために、ネット１０の重合部分を結合することができる結合手段を有している。図示の実施形態では、上記結合手段として、互いに押し付けあうことによって任意に嵌まり合い、また、任意に引き離すことができるホックの雌型２２Ａと雄型２２Ｂが、ネット１０の周縁部のベルト１２と上縁部のベルト１６の上からこれらのベルトを貫通して取り付けられている。
【００１４】
図３、図４は、ネット１０へのベルト１２の縫い付け形態を示す。ベルト１２は幅方向に２分する長さ方向の中心線に沿って折り返され、その重合部でネット１０の縁部を挟み込んだ状態で、ネット１０とともにベルト１２の重合部が糸で縫い付けられている。この実施形態では、図４に示すように、ベルト１２の幅方向２箇所で縫い付けられている。符号２８は縫い目を示している。ネット１０の上縁部のベルト１６も同様にして縫いつけられている。もっとも、ベルト１２、１６の縫い付け方法乃至は縫い付け形態は任意で、上記の縫い付け形態に限定されるものではない。また、ネット１０を左右に２分するベルト１４と底部の補強ベルト１８の縫い付け形態も任意である。
【００１５】
図２は、上記実施の形態にかかる物干し補助具の使用例を示す。この使用例では、物干し対象物として枕３０を想定している。ネット１０はベルト１４の位置を中心として左右に１個ずつ計２個の枕３０を縦方向にして挟み込むことができる大きさになっている。ネット１０の重合部で２個の枕３０を挟み込み、互いに対応する位置のホックの雌型２２Ａと雄型２２Ｂを嵌め合わせることによって、ネット１０から枕３０が脱落するのを防止する。次に、ネット１０の上端から伸び出たベルトであって、互いに対応するベルト１２、１４を、ベルト結合部材としてのファスナー２０によって結合する。結合された各ベルト１２、１４の部分が同じ長さになるように、ファスナー２０の雄型とベルト１２、１４との結合長さを調節する。この互いに結合されたベルト１２、１４の部分を物干し竿２４に通し、枕３０を挟み込んだ状態でネット１０を日当たりのよい場所、あるいは風通しのよい場所に吊り下げる。ネット１０はその網目から日光を通し、また、風を通すので、輻射熱によって枕３０内の温度が上昇し、ダニなどを死滅させることができる。併せて、風が良く通ることによって乾燥を促進し、ダニなどの死滅を促進することができるとともに、匂いを解消することができる。乾燥しようとする対象物によっては陰干しするのが望ましい場合があるので、その場合は日陰に吊り下げる。
【００１６】
上記の実施形態によれば、ネット１０を折り返すことによって形成される重合部で立体的な物干し対象物を挟み込んだ状態で、ネット１０の上端から延び出ている複数の吊り下げ部材を物干し竿などに掛けて吊り下げることによって、立体的な物干し対象物を日干ししあるいは陰干しすることができるため、水平方向の占有空間を小さくすることができる利点がある。また、ネット１０の周囲はベルトで縁取りされているため、重量の重い立体物を保持してもネット１０の伸縮が防止され、挟み込まれている物干し対象物の型崩れを防止できるという利点がある。互いに重なり合うネット双方の上端から伸び出たベルトが吊り下げ部材を兼ねているため、この吊り下げ部材によって物干し竿に物干し補助具を吊り下げた状態で吊り下げ部材が物干し竿を擦っても、物干し竿を損傷させることを回避することができる。
【００１７】
次に、本発明にかかる物干し補助具の別の実施形態について図５、図６を参照しながら説明する。この実施形態は大半の構成が前述の実施形態と同じであるから、同じ構成部分には同じ符号を付し、異なる構成部分を重点的に説明する。
図５、図６において、符号１０は、一方向のほぼ中央部で折り返えされることによって重合部が形成された物干し補助具の主体をなすネット、１２、１４，１６はベルト、１８は補強ベルト、２０はベルト結合部材としてのファスナー、２０Ａはファスナーの雌型、２０Ｂはファスナーの雄型、２２Aはホックの雌型、２２Ｂはホックの雄型をそれぞれ示している。
【００１８】
ネット１０は、その重合部分で立体的な物干し対象物を挟み込んだ状態を安定に維持することができるように、ネット１０の重合部分を結合することができる結合手段が配されている。前述の実施形態では、ネット１０の重合部分の結合手段として、雌型２２Ａと雄型２２Ｂからなるホックが用いられていたが、この実施形態では、重合された上記ネット１０の側縁部をつなぐ結合手段としてスライドファスナー２６が用いられている。スライドファスナー２６のつまみ２７をつまんでスライダーをスライドさせることにより、ネット１０の重合部の側縁部を開閉することができるようになっている。
【００１９】
さらに、この実施形態では、重合された上記ネット１０の側縁部を直接スライドファスナー２６で結合するのではなく、ネット１０の重合部の側縁部に上記ネット１０と同様のネット状の素材からなるマチ２５を有してなる。マチ２５は、一側縁部の一部がネット１０の側縁部に縫い付けられ、残りの部分にスライドファスナー２６の一側縁部が縫い付けられている。スライドファスナー２６の他方の縁部はネット１０の側縁部に縫い付けられている。より正確には、スライドファスナー２６はその始端１６Aが図６においてネット１０の一側上端部とこれに対応するマチ２５の一側上端部に位置し、スライドファスナー２６の終端２６Bはネット１０の他方の側縁部の上下方向下部寄りに位置している。したがって、スライドファスナー２６は図６に示すように側面から見て逆『Ｊ』の字状に配されていて、逆『Ｊ』の字に沿ってつまみ２７をスライドさせることにより、マチ２５をネット１０の側縁部に結合することができるように構成されている。また、逆『Ｊ』の字に沿ってマチ２５をネット１０の側縁から離間させて、重合されたネット１０の一側部を開放することができるように構成されている。
【００２０】
図面には、結合手段としてのマチ２５およびスライドファスナー２６がネット１０の一側部に設けられた例が示されているが、ネット１０の両側に上記のような開閉可能な結合手段を設けてもよい。あるいは、重合されたネット１０の一側部は、ここにネットのような素材からなる結合手段を直接縫い付けることによって開放することはできないようにし、他の一側部はスライドファスナー２６によって開閉できるようにしてもよい。スライドファスナー２６の形式は特に限定されるものではない。
そのほかの構成は、前述の実施形態と同じであるから、説明は省略する。
【００２１】
上記実施の形態にかかる物干し補助具の使用方法は以下のとおりである。スライドファスナー２６のつまみ２７をつまんでスライダーをスライドさせ、折り返されることにより重なり合っているネット１０の一側部または両側部を開放してネット１０の重合部間に２個の物干し対象物、例えば枕３０を挿入しかつ挟み込む。重なり合っているネット１０の一側部または両側部を開放することによって、枕３０などの立体的な物干し対象物を容易に挿入することができる。次に、上記つまみ２７をつまんでスライダーをスライドさせ、スライドファスナー２６によりマチ２５をネット１０の側縁部に結合させてネット１０の一側部または両側部を閉鎖する。こうすることによって、ネット１０の重合部間に挿入されている枕３０の滑落を確実に防止することができる。スライドファスナー２６は、マチ２５の縁部全体に設けられているのではなく、マチ２５の縁部の一部を残して設けられ、マチ２５の縁部の残りの一部はネット１０に直接縫い付けられている。そのため、スライドファスナー２６で開閉操作するたびにスライドファスナー２６を噛み合わせる操作を行う必要がなく、単にスライダーをスライドさせるだけでよく、例えば、ホックの雌型と雄型とを嵌め合わせるというような操作も必要ないから、操作性に優れている。次に、ネット１０の上端から伸び出た、また、互いに対応するベルト１２、１４をファスナー２０によって結合する。以下、前述の実施形態と同様に取り扱えばよい。
【００２２】
物干し補助具を物干し竿に吊り下げる手段としては、金属あるいはプラスチックからなる各種のフックを使用することもできるが、物干し補助具が風に揺られてフックが物干し竿の表面を擦り、物干し竿を傷つけることになる。物干し竿が傷つくと、物干し竿が削られることによって生じた粉体が物干し対象物に付着し、物干し対象物を汚す原因となる。また、物干し竿が金属製である場合、傷口から錆が進行し、錆の粉が例えば水滴とともに物干し対象物に落ちて、物干し対象物を汚す原因となる。その点、図示の実施形態のように、結合されたベルト１２，１４を物干し竿に通して吊り下げ、ベルト１２，１４が物干し竿に掛かるようにすれば、ベルト１２，１４は当たりが柔らかいため、物干し竿の表面をベルト１２，１４が擦っても物干し竿を傷つけることはなく、物干し対象物を汚す原因となることもない。
【００２３】
ベルト結合部材は、これまで説明してきた実施形態におけるファスナーに限られるものではなく、適宜の結合部材を選択して使用して差し支えない。図７は、ベルト結合部材の変形例を示す。図７において、互いに重なり合うネットの一方から伸び出たベルト１２の端部には、線状の部材を長方形の窓枠状に折り曲げた形に形成されたリング３１が取り付けられている。リング３１の素材は金属でもよいしプラスチックでもよい。リング３１が取り付けられたベルト１２の突出長さは短くなっている。互いに重なり合うネットの他方から伸び出たベルト１２は長さが長くなっていて、このベルト１２の先端部にはホックの雌型３２が取り付けられ、このベルト１２の先端寄りの位置には上記雌型３２から比較的短い距離をおいてホックの雄型３３が取り付けられ、上記ベルト１２の基端寄りの位置にはホックの雄型３４が取り付けられている。雄型３３，３４は雌型３２と嵌り合い、双方のベルト１２を結合することができる。
【００２４】
図７に示すベルト結合手段において、他方のベルト１２はその先端部から、一方のベルト１２の上記リング３１に通すことができる。リング３１に通したベルト１２はリング３１の位置で折り返し、ホックの雌型３２をホックの雄型３３または３４に嵌めることができる。上記雌型３２雄型３３，３４を有するベルト１２の上記雌型３２を、雄型３３に嵌めると、互いに結合されたベルトの長さが長くなり、雄型３４に嵌めると、互いに結合されたベルトの長さは短くなる。こうして、互いに結合されたベルトの長さを切り替えることができる。ホックの雄型を増やして所定の間隔に配置しておけば、互いに結合されたベルトの長さをきめ細かく切り替えることができる。ベルト１２の先端部にホックの雄型を配し、他をホックの雌型としてもよい。互いに結合されたベルトの長さを切り替え可能にするかどうかは任意である。
【００２５】
ネット１０の網目形状は任意で、例えば亀甲形の網目であってもよい。
ネット１０の大きさは任意で、例えば、枕を１個だけ保持することができる大きさであってもよいし、枕を３個あるいはそれ以上保持することができる大きさであってもよい。
重合されたネットの縁部を結合するホックあるいはスライドファスナーに代えて、互いに結び合わせることができる紐を取り付けてもよい。
【００２６】
本発明にかかる物干し補助具を使用して乾燥させる対象は任意で、枕のほか、クッション、ぬいぐるみ、座布団、その他、要するに、物干し竿などに折り曲げた状態で掛けることができない立体的な物品一般を乾燥するために用いることができる。
【産業上の利用可能性】
【００２７】
本発明にかかる物干し補助具は、例えば、家庭での日常生活において、健康を維持するために有用なものであって、不使用時は折り畳むことができるため、収納時に嵩張ることもなく、あれば便利な日用品としての需要が見込まれる。
【図面の簡単な説明】
【００２８】
【図１】本発明にかかる物干し補助具の実施の形態を示す斜視図である。
【図２】同上実施形態の使用態様の例を示す正面図である。
【図３】上記実施形態におけるベルトの取り付け態様の例を示す断面図である。
【図４】同じくベルトの取り付け態様の例を拡大して示す正面図である。
【図５】本発明にかかる物干し補助具の別の実施形態を示す斜視図である。
【図６】同上実施形態の側面図である。
【図７】本発明に適用可能なベルト結合部材の別の例を示す（ａ）は展開正面図、（ｂ）は展開側面図である。
【図８】従来の立体物乾燥の例を示す斜視図である。
【符号の説明】
【００２９】
１０    ネット
１２    ベルト
１４    ベルト
１６    ベルト
１８    低部の補強ベルト
２０    結合手段としてのファスナー
２５    マチ
２６    スライドファスナー
【図１】
2005111240.tif 000003
【図２】
2005111240.tif 000004
【図３】
2005111240.tif 000005
【図４】
2005111240.tif 000006
【図５】
2005111240.tif 000007
【図６】
2005111240.tif 000008
【図７】
2005111240.tif 000009
【図８】
2005111240.tif 000010